(57)【特許請求の範囲】
【請求項１】
略円柱形状の穴部（１１）が形成されたワーク（１０）において、前記穴部（１１）の周面（１１ａ）に付着した付着物（１２）を除去する装置であって、
前記周面（１１ａ）に向けて圧縮空気を噴出して前記付着物（１２）を吹き飛ばすとともに、前記圧縮空気の噴出力により前記穴部（１１）の円周方向に回転する噴出ノズル（２０）と、
前記噴出ノズル（２０）に取り付けられて共に回転して前記付着物（１２）を擦り落とすブラシ（３０）とを備えることを特徴とするワーク付着物除去装置。
【請求項２】
前記円周方向に回転可能に支持されて、前記穴部（１１）の半径方向に放射状に延びる複数本の空気配管（２２）を備え、
前記噴出ノズル（２０）は、前記複数本の空気配管（２２）のそれぞれに前記圧縮空気の噴出口（２２ａ）を形成して構成され、
前記ブラシ（３０）は、前記複数本の空気配管（２２）のそれぞれに取り付けられていることを特徴とする請求項１に記載のワーク付着物除去装置。
【請求項３】
前記円周方向に回転可能に支持されて、前記穴部（１１）の軸方向に延びるように形成された空気配管（２２）を備え、
前記噴出ノズル（２０）は、前記空気配管（２２）に前記圧縮空気の噴出口（２２ａ）を前記軸方向に複数形成して構成され、
前記ブラシ（３０）は、前記空気配管（２２）に前記軸方向に亘って複数本取り付けられていることを特徴とする請求項１または２に記載のワーク付着物除去装置。
【発明の詳細な説明】
【０００１】
【発明の属する技術分野】
本発明は、略円柱形状の穴部が形成されたワークにおいて、穴部の周面に付着した付着物を除去する装置に関するものである。
【０００２】
【従来の技術および発明が解決しようとする課題】
従来、上記ワークの付着物を次の作業手順で除去していた。すなわち、初めに、電動モータでブラシを回転させる電動ブラシを用いて付着物を擦り落とす作業を行い、その後、圧縮空気を噴出する噴出ノズルを用いて付着物を吹き飛ばす作業を行っていた。
【０００３】
しかし、擦り落とす作業と吹き飛ばす作業を別々に行うと、作業工数が多いためワークの原価低減が困難である。また、電動ブラシと噴出ノズルを単純に一体化した付着物除去装置を用いて両作業を同時に行おうとすると、装置が複雑で高価なものとなるためワークの原価低減が困難である。
【０００４】
本発明は、上記点に鑑み、ワークの付着物を擦り落とす作業と吹き飛ばす作業を同時に行うことができる装置であり、かつ、簡素な構造である付着物除去装置を提供することを目的とする。
【０００５】
【課題を解決するための手段】
上記目的を達成するため、請求項１に記載の発明では、略円柱形状の穴部（１１）が形成されたワーク（１０）において、穴部（１１）の周面（１１ａ）に付着した付着物（１２）を除去する装置であって、周面（１１ａ）に向けて圧縮空気を噴出して付着物（１２）を吹き飛ばすとともに、圧縮空気の噴出力により穴部（１１）の円周方向に回転する噴出ノズル（２０）と、噴出ノズル（２０）に取り付けられて共に回転して付着物（１２）を擦り落とすブラシ（３０）とを備えることを特徴としている。
【０００６】
これにより、噴出ノズル（２０）から圧縮空気を噴出すると同時にブラシ（３０）が回転するので、付着物（１２）を擦り落とす作業と付着物（１２）を吹き飛ばす作業を同時に行うことができる。そして、圧縮空気の噴出力によりブラシ（３０）および噴出ノズル（２０）を回転させるので、回転させるための専用の駆動源（電動モータ等）を必要としないため、付着物除去装置の構造を簡素にでき、ひいてはワーク（１０）の原価低減を図ることができる。
【０００７】
なお、本発明の穴部（１１）とは、貫通穴および図１に例示する非貫通穴のいずれをも含む意味である。
【０００８】
また、請求項２に記載の発明では、円周方向に回転可能に支持されて、穴部（１１）の半径方向に放射状に延びる複数本の空気配管（２２）を備え、噴出ノズル（２０）は、複数本の空気配管（２２）のそれぞれに圧縮空気の噴出口（２２ａ）を形成して構成され、ブラシ（３０）は、複数本の空気配管（２２）のそれぞれに取り付けられていることを特徴としている。
【０００９】
これにより、噴出口（２２ａ）およびブラシ（３０）は、穴部（１１）の円周方向の複数箇所に備えられるので、空気配管（２２）が１本の場合に比べて、短時間で付着物（１２）を除去することができる。
【００１０】
また、請求項３に記載の発明では、円周方向に回転可能に支持されて、穴部（１１）の軸方向に延びるように形成された空気配管（２２）を備え、噴出ノズル（２０）は、空気配管（２２）に圧縮空気の噴出口（２２ａ）を軸方向に複数形成して構成され、ブラシ（３０）は、空気配管（２２）に軸方向に亘って複数本取り付けられていることを特徴としている。
【００１１】
これにより、噴出口（２２ａ）およびブラシ（３０）は、穴部（１１）の軸方向の複数箇所に備えられるので、噴出ノズル（２０）が一回転する間に付着物（１２）を除去できる面積を大きくすることができるため、短時間で付着物（１２）を除去することができる。
【００１２】
なお、上記各手段の括弧内の符号は、後述する実施形態に記載の具体的手段との対応関係を示す一例である。
【００１３】
【発明の実施の形態】
図１は本発明の一実施形態に係る付着物除去装置およびワークを示す部分断面図であり、図２はＡ−Ａ断面図である。
【００１４】
図中の符号１０は金属で成形された金属成形品（例えばダイカストにより成形されたアルミニウム）を示しており、各種バルブの構成部品である。この成形品１０は図１の上下方向に延びる円柱形状であり、成形品１０の下面には略円柱形状の穴部１１が形成されている。そして、図中の符号１２は穴部１１の周面１１ａに付着した付着物を示している。付着物の具体例としては、成形品１０を成形する工場内に浮遊する粉塵や金属の切削バリ等の異物が油とともに付着した場合等が挙げられる。
【００１５】
以下に、上記付着物１２を除去する場合を例に、本実施形態の付着物除去装置を説明する。なお、付着物１２は、圧縮空気の力では吹き飛ばすことができず、ブラシで擦り落とす必要があるものであり。さらに、擦り落とされた付着物が再び穴部１１の周面１１ａに付着するのを防止するために、穴部１１の周面１１ａに圧縮空気を吹き付けなければならないものである。
【００１６】
本実施形態の付着物除去装置は、作業台１３に固定された支持部材１４と、支持部材１４に回転可能に支持される噴出ノズル２０と、噴出ノズル２０に取り付けられたブラシ３０とから構成されている。
【００１７】
支持部材１４は作業台１３から上方に向かって延びる円柱形状のシャフトである。そして、噴出ノズル２０は、支持部材１４に回転可能に組み付けられる円筒形状のハブ部材２１の外周面に、ワーク１０の穴部１１の半径方向に放射状に延びる複数本（本実施形態では４本）の空気配管２２を等間隔に接続して構成されている。そして、ハブ部材２１の内部には圧縮空気を流通させる流通路（図示せず）が形成されており、この流通路は４本の空気配管２２と連通するようになっている。そして、図示しないコンプレッサーをハブ部材２１の流通路に接続することにより、コンプレッサーからの圧縮空気をハブ部材２１を介して各空気配管２２に流通させるようになっている。
【００１８】
４本の空気配管２２は、ワーク１０の穴部１１の軸方向（図１の上下方向）に延びて羽根形状に形成されている。そして、図１中の符号２２ａに示すように、各空気配管２２のうち穴部１１の周面１１ａ近傍部分には圧縮空気の噴出口２２ａが穴部１１の軸方向に複数形成されている。そして、噴出口２２ａから噴き出される圧縮空気の向きは、空気配管２２に回転力を与える向きであるとともに、穴部１１の周面１１ａに向かう向きに設定されている。本実施形態では、噴出口２２ａから噴き出される圧縮空気の向きを、噴出口２２ａの回転軌跡の略接線方向（図２の矢印Ｂに示す向き）に設定している。
【００１９】
これにより、噴出ノズル２０は、圧縮空気を噴出して付着物１２を吹き飛ばすとともに、圧縮空気の噴出力によりワーク１０の穴部１１の円周方向（図２の矢印Ｃに示す向き）に回転することとなる。
【００２０】
また、各空気配管２２のうちハブ部材２１から遠ざかる部分である外周端部分であってワーク１０の穴部１１の周面１１ａに対向する部分には、複数本の線材からなるブラシ３０が穴部１１の軸方向に亘って取り付けられている。そして、ブラシ３０の先端は穴部１１の周面１１ａに接触するように設定されている。これにより、噴出ノズル２０が回転すると同時に、ブラシ３０が付着物１２を擦り落とすこととなる。
【００２１】
なお、図２に示すように、空気配管２２のうちハブ部材２１から遠ざかる部分である外周端部分は、噴出口２２ａが形成される側に曲げられて形成されており、ブラシ３０が穴部１１の周面１１ａに斜めに接触するようになっている。この空気配管２２の曲げの度合は、ブラシ３０を構成する線材の曲げ変形による弾性力が、付着物１２を擦り落とすのに適度な力となるように設定されている。
【００２２】
以上の構成により、噴出ノズル２０から圧縮空気を噴出すると同時にブラシ３０が回転するので、付着物１２を擦り落とす作業と付着物１２を吹き飛ばす作業を同時に行うことができる。そして、圧縮空気の噴出力によりブラシ３０および噴出ノズル２０を回転させるので、回転させるための電動モータを必要としないため、付着物除去装置の構造を簡素にでき、ひいてはワーク１０の原価低減を図ることができる。
【００２３】
また、複数本の空気配管２２のそれぞれに噴出口２２ａおよびブラシ３０を備えるので、噴出口２２ａおよびブラシ３０は、穴部１１の円周方向の複数箇所に配置されることとなる。よって、空気配管２２が１本の場合に比べて、短時間で付着物１２を除去することができる。
【００２４】
また、空気配管２２はワーク１０の穴部１１の軸方向に延びて形成されるとともに、噴出口２２ａおよびブラシ３０を軸方向の複数箇所に配置するので、噴出ノズル２０が一回転する間に付着物１２を除去できる面積を大きくすることができるため、短時間で付着物１２を除去することができる。
【００２５】
（他の実施形態）
上記実施形態の付着物除去装置では、ワーク１０の穴部１１の周面１１ａの付着物１２のみを除去するようになっているが、穴部１１の底面１１ｂの付着物も同時に除去するようにしてもよい。具体的には、各空気配管２２のうち穴部１１の底面１１ｂに対向する部分にブラシ３０を取り付け、穴部１１の底面１１ｂに向けて圧縮空気を噴き出す噴出口２２ａを形成するようにしてもよい。
【図面の簡単な説明】
【図１】本発明の一実施形態に係る付着物除去装置およびワークを示す部分断面図である。
【図２】図１のＡ−Ａ断面図である。
【符号の説明】
１０…ワーク、１１…穴部、１１ａ…周面、２０…噴出ノズル、
２２…空気配管、２２ａ…噴出口、３０…ブラシ。
【図１】
0003601461.tif 000002
【図２】
0003601461.tif 000003